(57)【要約】【課題】  閉め切った室内においてもペットにとって快適な温度空間を実現できるペット収容体を提供すること。【解決手段】  底面部１１と、底面部１１の周囲を囲繞して形成された周壁部１２と、冷気を生成可能な程度に予め冷却された冷却材１３と、周壁部１２に設けられて冷却材１３を保持するポケット１４とを有し、底面部１１及び周壁部１２により冷気を溜めることが可能な内部空間２０が構成されたものである。ポケット１４は、外壁体２１と内壁体２２とにより構成され、外壁体２１と内壁体２２とが互いに対向する内側を、アルミ蒸着シート２５が設けられ、アルミ蒸着シート２５の外側は、発泡性樹脂材料（ウレタン２３、２４）をそれぞれ内蔵する。【選択図】            図１
2006246799.tif 000002
【特許請求の範囲】
【請求項１】
少なくとも、周壁部と、冷気を生成する冷却材と、該冷却材を保持する冷却材保持部とを有し、
前記周壁部により冷気を溜めることが可能な空間が構成されたことを特徴とするペット収容体。
【請求項２】
底面部を有し、前記周壁部が前記底面部の周囲を囲繞して形成されることを特徴とする請求項１に記載のペット収容体。
【請求項３】
前記ペット収容体は開口を有し、前記開口によって前記空間と外部とが連通する状態においても、前記空間に冷気を溜めることが可能な構成としたことを特徴とする請求項１又は請求項２に記載のペット収容体。
【請求項４】
前記冷却材は、前記空間において冷気を生成可能な程度に予め冷却されたものであることを特徴とする請求項１乃至請求項３のうち、いずれか１に記載のペット収容体。
【請求項５】
前記冷却材保持部は、前記周壁部に設けられたポケットであることを特徴とする請求項１乃至請求項４のうち、いずれか１に記載のペット収容体。
【請求項６】
前記周壁部に連設された天面部を有し、前記保冷材保持部は、前記周壁部と前記天面部との少なくとも一方に設けられたポケットであることを特徴とする請求項１乃至請求項４のうち、いずれか１に記載のペット収容体。
【請求項７】
前記ポケットは、外壁体と内壁体とからなり、前記外壁体及び内壁体は、断熱部材によって形成されていることを特徴とする請求項５又は請求項６に記載のペット収容体。
【請求項８】
前記断熱部材は、断熱材と遮熱シートとを有し、外壁体と内壁体とが対向する内側に前記遮熱シートが設けられ、前記遮熱シートの外側に断熱材を有することを特徴とする請求項７に記載のペット収容体。
【請求項９】
前記ポケットは、前記内壁体の断熱部材が、前記外壁体の断熱部材よりも薄く設けられる構成としたことを特徴とする請求項７又は請求項８に記載のペット収容体。
【請求項１０】
前記断熱材は発泡性樹脂材料で形成され、前記内壁体の断熱材が５乃至１０ｍｍの厚さに、前記外壁体の断熱材が１０ｍｍ以上の厚さに設定されたことを特徴とする請求項８に記載のペット収容体。
【請求項１１】
前記ポケットが形成された周壁部は、内側に傾斜して形成されたことを特徴とする請求項５乃至請求項１０のうち、いずれか１に記載のペット収容体。
【請求項１２】
前記開口は、該周壁部の下端よりも高い位置に形成されたことを特徴とする請求項１乃至請求項１１のうち、いずれか１に記載のペット収容体。
【請求項１３】
少なくとも周壁部が可撓性を有する部材にて構成されたことを特徴とする請求項１乃至請求項１２のうち、いずれか１に記載のペット収容体。
【請求項１４】
前記周壁部及び／又は前記天面部は、前記ポケットに前記冷却材が保持された状態において、前記周壁部の型崩れを防止する保形材によって支持されたことを特徴とする請求項５乃至請求項１３のうち、いずれか１に記載のペット収容体。
【請求項１５】
前記保形材は、略十字に交差して配設されて前記周壁部を支持する２本の弾性フレームであることを特徴とする請求項１４に記載のペット収容体。
【請求項１６】
少なくとも、周壁部と、保冷ユニットと、該保冷ユニットを保持する保冷ユニット保持部とを有し、
前記保冷ユニットは、冷気を生成可能な程度に予め冷却された冷却材と、前記冷却材を収納する袋体を備え、
前記周壁部により冷気を溜めることが可能な空間が構成されたことを特徴とする保冷ユニットを備えたペット収容体。
【請求項１７】
前記保冷ユニット保持部は、前記保冷ユニットを前記周壁部の外側に保持可能に設けられ、前記袋体は、前記周壁部と接しない面の略全面積に亘って断熱部材が設けられたことを特徴とする請求項１６に記載の保冷ユニットを備えたペット収容体。
【請求項１８】
前記保冷ユニット保持部は、前記保冷ユニットを前記周壁部の内側に保持可能に設けられ、前記袋体は、前記周壁部と接しない面の略全面積に亘って断熱部材が設けられたことを特徴とする請求項１６に記載の保冷ユニットを備えたペット収容体。
【請求項１９】
少なくとも、周壁部と、冷気を生成する冷却材又は暖気を生成する温熱材と、前記冷却材又は前記温熱材を保持する保持部とを有し、
前記保持部に前記冷熱材又は前記温熱材のいずれかを保持させることにより、前記周壁部により囲まれた空間内に冷気又は暖気を選択して溜めることが可能に構成されたことを特徴とするペット収容体。
【発明の詳細な説明】
【技術分野】
【０００１】
本発明は、犬や猫などのペットに快適な温度空間を提供できるペット収容体及び保冷ユニットを備えたペット収容体に関する。
【背景技術】
【０００２】
犬や猫などのペットを飼育している家庭では、ペットを長時間に室内に置いたまま外出せざるを得ない場合がある。このような場合、防犯のために室内を閉め切ってしまうと、特に夏季には、室内温度が３０℃以上となってペットの健康を損ねる場合がある。
【０００３】
特許文献１には、ペルチェ素子を用いて動物舎内に冷気を生成し、この冷気をファンを用いて強制的に循環させて動物舎内を冷房し、この中にペットを入れておくものが提案されている。
【０００４】
【特許文献１】実開平１‐１２７４４７号公報
【発明の開示】
【発明が解決しようとする課題】
【０００５】
しかしながら、前記動物舎では、ペルチェ素子及びファンを動作させるために電力を要し、また、安全体を組み込んだ電気回路も必要となるためコストが上昇してしまう。また、扉によって出入口（開口）を閉じ密閉した状態でファンを動作させなければ、前記ファンによる空気の対流によって外気が出入口から混入してしまうため、十分な冷却を実現することができないものとなっている。
【０００６】
一方、予め冷却または冷凍した冷却材をペットハウスの床に設置し、その上にペットが直接接することによって、ペットを直接冷却するペットハウスも知られている。このような場合には、コストの上昇は抑えられるものの、ペットの体の一部分が冷却材によって空気を介することなく直接冷却されるので、ペットの体調を崩し健康を損ねる恐れがある。
【０００７】
本発明の目的は、上述の事情を考慮してなされたものであり、過酷な温度環境下においてもペットにとって快適な温度空間を実現できるペット収容体及び保冷ユニットを備えたペット収容体を提供することにある。
【課題を解決するための手段】
【０００８】
請求項１に記載の発明に係るペット収容体は、少なくとも、周壁部と、冷気を生成する冷却材と、該冷却材を保持する冷却材保持部とを有し、前記周壁部により冷気を溜めることが可能な空間が構成されたことを特徴とするものである。
【０００９】
請求項２に記載の発明に係るペット収容体は、請求項１に記載の発明において、底面部を有し、前記周壁部が前記底面部の周囲を囲繞して形成されることを特徴とするものである。
【００１０】
請求項３に記載の発明に係るペット収容体は、請求項１又は請求項２に記載の発明において、前記ペット収容体は開口を有し、前記開口によって前記空間と外部とが連通する状態においても、前記空間に冷気を溜めることが可能な構成としたことを特徴とするものである。
【００１１】
請求項４に記載の発明に係るペット収容体は、請求項１乃至請求項３のうち、いずれか１に記載の発明において、前記冷却材は、前記空間において冷気を生成可能な程度に予め冷却されたものであることを特徴とするものである。
【００１２】
請求項５に記載の発明に係るペット収容体は、請求項１乃至請求項４のうち、いずれか１に記載の発明において、前記冷却材保持部は、前記周壁部に設けられたポケットであることを特徴とするものである。
【００１３】
請求項６に記載の発明に係るペット収容体は、請求項１乃至請求項４のうち、いずれか１に記載の発明において、前記周壁部に連設された天面部を有し、前記保冷材保持部は、前記周壁部と前記天面部との少なくとも一方に設けられたポケットであることを特徴とするものである。
【００１４】
請求項７に記載の発明に係るペット収容体は、請求項５又は請求項６に記載の発明において、前記ポケットは、外壁体と内壁体とからなり、前記外壁体及び内壁体は、断熱部材によって形成されていることを特徴とするものである。
【００１５】
請求項８に記載の発明に係るペット収容体は、請求項７に記載の発明において、前記断熱部材は、断熱材と遮熱シートとを有し、外壁体と内壁体とが対向する内側に前記遮熱シートが設けられ、前記遮熱シートの外側に断熱材を有することを特徴とするものである。
【００１６】
請求項９に記載の発明に係るペット収容体は、請求項７又は請求項８に記載の発明において、前記ポケットは、前記内壁体の断熱部材が、前記外壁体の断熱部材よりも薄く設けられる構成としたことを特徴とするものである。
【００１７】
請求項１０に記載の発明に係るペット収容体は、請求項８に記載の発明において、前記断熱材は発泡性樹脂材料で形成され、前記内壁体の断熱材が５乃至１０ｍｍの厚さに、前記外壁体の断熱材が１０ｍｍ以上の厚さに設定されたことを特徴とするものである。
【００１８】
請求項１１に記載の発明に係るペット収容体は、請求項５乃至請求項１０のうち、いずれか１に記載の発明において、前記ポケットが形成された周壁部は、内側に傾斜して形成されたことを特徴とするものである。
【００１９】
請求項１２に記載の発明に係るペット収容体は、請求項１乃至請求項１１のうち、いずれか１に記載の発明において、前記開口は、該周壁部の下端よりも高い位置に形成されたことを特徴とするものである。
【００２０】
請求項１３に記載の発明に係るペット収容体は、請求項１乃至請求項１２のうち、いずれか１に記載の発明において、少なくとも周壁部が可撓性を有する部材にて構成されたことを特徴とするものである。
【００２１】
請求項１４に記載の発明に係るペット収容体は、請求項５乃至請求項１３のうち、いずれか１に記載の発明において、前記周壁部及び／又は前記天面部は、前記ポケットに前記冷却材が保持された状態において、前記周壁部の型崩れを防止する保形材によって支持されたことを特徴とするものである。
【００２２】
請求項１５に記載の発明に係るペット収容体は、請求項１４に記載の発明において、前記保形材は、略十字に交差して配設されて前記周壁部を支持する２本の弾性フレームであることを特徴とするものである。
【００２３】
請求項１６に記載の発明に係る保冷ユニットを備えたペット収容体は、少なくとも、周壁部と、保冷ユニットと、該保冷ユニットを保持する保冷ユニット保持部とを有し、前記保冷ユニットは、冷気を生成可能な程度に予め冷却された冷却材と、前記冷却材を収納する袋体を備え、前記周壁部により冷気を溜めることが可能な空間が構成されたことを特徴とするものである。
【００２４】
請求項１７に記載の発明に係る保冷ユニットを備えたペット収容体は、請求項１６に記載の発明において、前記保冷ユニット保持部は、前記保冷ユニットを前記周壁部の外側に保持可能に設けられ、前記袋体は、前記周壁部と接しない面の略全面積に亘って断熱部材が設けられたことを特徴とするものである。
【００２５】
請求項１８に記載の発明に係る保冷ユニットを備えたペット収容体は、請求項１６に記載の発明において、前記保冷ユニット保持部は、前記保冷ユニットを前記周壁部の内側に保持可能に設けられ、前記袋体は、前記周壁部と接しない面の略全面積に亘って断熱部材が設けられたことを特徴とするものである。
【００２６】
請求項１９に記載の発明に係るペット収容体は、少なくとも、周壁部と、冷気を生成する冷却材又は暖気を生成する温熱材と、前記冷却材又は前記温熱材を保持する保持部とを有し、前記保持部に前記冷熱材又は前記温熱材のいずれかを保持させることにより、前記周壁部により囲まれた空間内に冷気又は暖気を選択して溜めることが可能に構成されたことを特徴とするものである。
【発明の効果】
【００２７】
請求項１、請求項２、請求項５又は請求項６に記載の発明によれば、冷却材により生成される冷気を、周壁部により囲まれた空間内に溜めることができるので、この空間内に溜められた冷気によってペットの体全体を間接的に冷却できる。これにより、例えば夏場の閉め切った高温の室内においてもペットにとって快適な温度空間を実現できると共に、ペットを直接に冷却することがないので、ペットの健康を害することも回避できる。
【００２８】
請求項３に記載の発明によれば、開口を有しており前記空間と外部とが連通する状態においても前記空間に冷気を溜めることができるので、ペット収容体内に収容されるペットを外部から視認することができ、また、必要以上の冷却が抑制されるため、ペットに対して安全に快適な温度空間を提供することができる。
【００２９】
請求項４に記載の発明によれば、冷却材が、冷気を生成可能な程度に予め冷却されたものであることから、ペルチェ素子や冷媒及び熱交換器を用いた場合に比べ、冷気を低コストで供給することができる。
【００３０】
請求項７及び請求項８に記載の発明によれば、ポケットが外壁体と内壁体とからなり、外壁体及び内壁体は断熱部材によって形成され、特に前記断熱部材は、断熱材と遮熱シートで構成されて、外壁体と内壁体とが対向する内側に前記遮熱シートを設け、その外側に断熱材が設けられたことから、外壁体と内壁体との間に保冷材が収納されることで、冷却材が急激に温まることを防止でき、遮熱シート及び断熱材を介して、保冷材による冷気を長時間に亘りペット収容体の内部空間内へ導くことができると共に、保冷材の冷気により生じた結露水が前記内部空間へ侵入することを防止できる。
【００３１】
請求項９又は請求項１０に記載の発明によれば、ポケットにおける内壁体の断熱部材（特に断熱材）が、外壁体の断熱部材（特に断熱材）よりも薄く設けられたことから、ポケットに収納された冷却材による冷気を外壁体の断熱部材によって外部へ逃がすことを抑制しつつ、内壁体の断熱部材を経てペット収容体の内部空間へ良好に導くことができる。
【００３２】
請求項１１に記載の発明によれば、ポケットが形成された周壁部が内側に傾斜して形成されたことから、冷気が下方に向かって流れる性質によって、冷却材によって生成された冷気が下方向に伝わって内壁体の断熱材を経て、周壁部により形成されるペット収容体の内部空間へさらに良好に導くことができる。
【００３３】
請求項１２に記載の発明によれば、周壁部の下端よりも高い位置に開口を有することから、周壁部により形成されるペット収容体の内部空間内に溜められた冷気が外部へ逃げにくくなり、冷気を長時間に亘りペット収容体の内部空間に溜めておくことができる。
【００３４】
請求項１３に記載の発明によれば、少なくとも周壁部が可撓性を有する部材にて構成されたことから、ペット収容体の非使用時には周壁部を容易に折り畳むことができるので、収納性を向上することができる。
【００３５】
請求項１４又は請求項１５に記載の発明によれば、周壁部が保形材により支持されたことから、周壁部のポケットに冷却材が保持された状態においても、冷却材の重量による前記保形材によって周壁部の型崩れを防止でき、ペット収容体の内部空間を良好に確保できる。
【００３６】
請求項１６乃至請求項１８に記載の発明によれば、袋体内に冷却材を収納した保冷ユニットによって、既存のペット小屋のような如何なるペット収容体にも使用することができるとともに、前記保冷ユニットを周壁部によって囲まれた空間内ペット収容体の内部空間内に保冷ユニットによる冷気を溜めることができるため、閉め切った室内においてもペットにとって快適な温度空間を提供でき、ペットを直接に冷却することがないので、ペットの健康を害することも回避できる。
【００３７】
請求項１９に記載の発明によれば、冷熱材による冷気または温熱材による暖気を、周壁部により囲まれた空間内に選択して溜めることができるので、この空間内にペットが入ることで、このペットを間接的に冷却しまたは暖めることができる。これにより、例えば、夏場や冬場のように、温度環境に応じてペットにとって快適な温度空間を適宜選択的に実現できる。
【発明を実施するための最良の形態】
【００３８】
以下、本発明を実施するための最良の形態を、図面に基づき説明する。
【００３９】
［Ａ］第１の実施の形態（図１〜図８）
図１は、本発明に係るペット収容体が適用された第１の実施の形態のペットハウスを示す斜視図である。図２は、図１のペットハウスにおいて一部を切り欠いて示す側面図である。
【００４０】
図１に示すように、ペット収容体としてのペットハウス１０は、四角形状の底面部１１と、底面部１１の各辺から上方へ延び、底面部１１の周囲を囲繞して略四角錐形状をなす周壁部１２と、冷気を生成する冷却材１３（図２及び図３）と、周壁部１２に設けられ、冷却材１３を収納して保持する冷却材保持部としてのポケット１４とを有する。
【００４１】
周壁部１２は、底面部１１の各辺から延び互いに連設された正面壁１５、右側面壁１６、背面壁１７及び左側面壁１８から構成される。正面壁１５には、開口としての出入口１９が形成され、他の右側面壁１６、背面壁１７及び左側面壁１８にポケット１４が設けられる。ポケット１４は、右側面壁１６、背面壁１７、左側面壁１８のそれぞれにおいて略全面積に亘り形成される。なお、本実施の形態では、開口として出入口１９を正面壁１５に形成しているが、周壁部を枠体状に形成するとともに上部を塞がずに開放してこれを開口としてもよく、本実施の形態の出入口１９のようなものに限定されるものではない。
【００４２】
ポケット１４内に収納される冷却材１３は、ペット収容体としてのペットハウス１０の内部空間２０において冷気を生成可能な程度に予め冷却または冷凍された蓄熱タイプの冷却熱源である。ペットハウス１０の内部空間２０の温度は、使用を開始する当初はペットハウス１０を使用する環境温度となっているため、例えば、屋内での使用時では室温、屋外での使用時では屋外の気温ということになり、冷却材１３は、このような温度下において冷気を生成可能な程度に予め冷却又は冷凍されていればよい。冷却材１３は、一例として、中空のプラスチック製薄型板状容器やフィルム製袋内に水、吸水性ポリマー等を封入したものが挙げられる。冷却材１３によって生成される冷気が、底面部１１及び周壁部１２により囲まれたペットハウス１０の内部空間２０に溜められる。出入口１９は、周壁部としての正面壁１５の下端１５Ａよりも高い位置、又は、底面部１１よりも高い位置に形成される。出入口１９の下端１９Ａは、内部空間２０内に溜められた冷気が外部へ逃げることを抑制し得る高さに設定される。
【００４３】
図２に示すように、略四角錐形状をなす周壁部１２は、出入口１９が形成された正面壁１５においても、ポケット１４が形成された右側面壁１６、背面壁１７及び左側面壁１８においても、内側（底面部１１側）に傾斜して構成される。図２及び図３に示すように、ポケット１４は、外壁体２１と内壁体２２とにより構成され、外壁体２１及び内壁体２２により囲まれた空間２６内に冷却材１３が保持される。ポケット１４の開口はファスナー２７により封止される。外壁体２１、内壁体２２のそれぞれは、遮熱シート及び断熱材からなる断熱部材によって形成され、外壁体２１と内壁体２２とが互いに対向する内側を、遮熱シートとしてのアルミ蒸着シート２５が設けられ、アルミ蒸着シート２５の外側は、断熱材としての発泡性樹脂材料をそれぞれ内蔵する。本実施の形態では、前記発泡性樹脂材料はウレタン２３、２４として説明するが、ウレタンに限られるものではない。
【００４４】
アルミ蒸着シート２５は、少なくとも、冷却材１３による冷気の熱を反射してポケット１４の空間２６内に熱を閉じ込める遮熱機能を有し、さらには、空間２６内に生じた結露水が外壁体２１及び内壁体２２内へ流出することを防止する防水機能をも果たす。また、ウレタン２３及び２４は、断熱材として機能すると共に、外壁体２１、内壁体２２内で生じた結露水を吸水する機能を果たす。ポケット１４がこのような機能を有するウレタン２３、２４及びアルミ蒸着シート２５を備えることによって、ペットハウス１０の内部空間２０内に長時間に亘り冷気が保たれる。
【００４５】
内壁体２２のウレタン２４は、外壁体２１のウレタン２３よりも薄肉に構成される。例えば、ウレタン２４は５乃至１０ｍｍに、ウレタン２３は１０ｍｍ以上にそれぞれ設定される。特に、アルミ蒸着シート２５と遮熱機能とウレタンの前記断熱機能・吸水機能とが最も効率的になるのは、ウレタン２４が８乃至１２ｍｍ、ウレタン２３が１８乃至２２ｍｍの範囲であり、具体的には、気温３０℃の閉め切った室内でペットハウス１０の内部空間２０内が約２１〜２４℃で約１０時間保たれる。これにより、ポケット１４の空間２６内の冷気は、外壁体２１のウレタン２３を通してペットハウス１０の外部へ逃げることが抑制され、且つ、内壁体２２のウレタン２４を経てペットハウス１０の内部空間２０内へ良好に導かれて、この内部空間２０内を冷却する。
【００４６】
特に、内壁体２２におけるウレタン２４の厚さは、ウレタン２４の吸水機能によって、ペットハウス１０の内部空間２０内の壁面（つまり内壁体２２の内面３４）に水滴が付着することを防止でき、且つ冷却材１３の冷気の熱が内部空間２０内へ伝わり過ぎて内部空間２０内の保冷時間が短時間にならないように考慮して設定される。
【００４７】
図４及び図５に示すように、底面部１１は、周壁部１２に対してファスナー２８を用いて開閉可能に設けられ、内部の清掃の容易化が図られている。また、底面部１１と周壁部１２（ポケット１４における外壁体２１の外面３３と内壁体２２の内面３４を含む）は、可撓性を有する部材、例えば、織布、不織布、紙材、合成樹脂、合成繊維等の材料にて構成されて、折り曲げ可能となっている。更に、周壁部１２は、保形材としての２本の弾性フレーム２９によって支持されている。
【００４８】
弾性フレーム２９は、周壁部１２における内側に略十字に交差し、正面壁１５、右側面壁１６、背面壁１７及び左側面壁１８の連設部分に接触して支持し、右側面壁１６、背面壁１７及び左側面壁１８のポケット１４に冷却材１３が収納された状態においても、冷却材１３の重量によって周壁部１２が型崩れしないように周壁部１２を保形する。尚、図４及び図５中の符号３０は、正面壁１５、右側面壁１６、背面壁１７及び左側面壁１８の連設部分の内側に設けられて弾性フレーム２９を挿通して案内する筒状案内部である。
【００４９】
底面部１１、周壁部１２（ポケット１４における外壁体２１の外面３３及び内壁体２２の内面３４を含む）が可撓性を有する部材にて構成され、ポケット１４のウレタン２３及び２４、並びにアルミ蒸着シート２５が折り曲げ可能であり、更に、弾性フレーム２９が弾性を有することから、ペットハウス１０は、図６及び図７に示すように折り畳み可能とされる。周壁部１２の対向する右側面壁１６及び左側面壁１８（または正面壁１５及び背面壁１７）が内側に折り曲げられ、また、底面部１１がファスナー２８により閉じられた状態であっても、例えば図５における破線にて山折り、一点鎖線にて谷折りとすることによって、ペットハウス１０は平坦形状に折り畳まれて収納状態とされ、使い勝手が向上する。尚、図２に示すように、ペットハウス１０の使用状態において、底面部１１上には、布製の袋内にクッション材３１が設けられたマット３２が載置されている。
【００５０】
以上のように構成されたことから、前記実施の形態によれば、次の効果（１）乃至（９）を奏する。
【００５１】
（１）冷却材１３による冷気を、周壁部１２により囲まれたペットハウス１０の内部空間２０内に溜めることができるので、内部空間２０内にペットが入ることでこのペットを間接的に冷却できる。これにより、閉め切った室内においてもペットにとって快適な温度空間を実現できると共に、ペットを直接に冷却することがないので、ペットの体調を崩して健康を害することも回避できる。また、開口としての出入口１９を有しており内部空間２０と外部とが連通する状態においても内部空間２０に冷気を溜めることができるので、ペットハウス１０に収容されるペットを外部から視認することができ、また、必要以上の冷却が抑制されるため、ペットに対して安全に快適な温度空間を提供することができる。
【００５２】
（２）冷却材１３を収納するポケット１４が、周壁部１２の右側面壁１６、背面壁１７、左側面壁１８のそれぞれにおいて略全面積に亘り形成されたことから、このポケット１４内に多数の冷却材１３または体積の大きな冷却材１３を収納することができ、ペットハウス１０の冷却性能を向上させることができる。
【００５３】
（３）ポケット１４が外壁体２１と内壁体２２とにより形成され、外壁体２１及び内壁体２２が断熱部材によって形成され、特に、外壁体２１及び内壁体２２が対向する内側にアルミ蒸着シート２５が設けられ、その外側にウレタン２３、２４を有することから、これらの外壁体２１と内壁体２２との間に保冷材１３が収納されることで、ウレタン２３、２４及びアルミ蒸着シート２５を介して、保冷材１３による冷気を長時間に亘りペットハウス１０の内部空間２０内へ導くことができると共に、保冷材１３の冷気により生じた結露水が内部空間２０内へ侵入することを防止できる。
【００５４】
（４）ポケット１４における内壁体２２のウレタン２４が、外壁体２１のウレタン２３よりも薄く設けられたことから、ポケット１４に収納された冷却材１３による冷気を外壁体２１のウレタン２３によって外部へ逃がすことを抑制しつつ、内壁体２２のウレタン２４を経てペットハウス１０の内部空間２０内へ良好に導くことができる。
【００５５】
（５）ポケット１４が形成された周壁部１２の右側面壁１６、背面壁１７及び左側面壁１８が内側に傾斜して形成されたことから、ポケット１４内の冷却材１３による冷気が下方へ降りることで、周壁部１２により形成されるペットハウス１０の内部空間２０内を効率的に冷却することができる。
【００５６】
（６）周壁部１２の下端１５Ａよりも高い位置に出入口１９を有することから、周壁部１２により形成されるペットハウス１０の内部空間２０内に溜められた冷気が、出入口１９を経て外部へ逃げることを抑制できる。
【００５７】
（７）底面部１１及び周壁部１２（ポケット１４における外壁体２１の外面３３、内壁体２２の内面３４を含む）が可撓性を有する部材にて構成されたことから、ペットハウス１０の非使用時には周壁部１２を折り曲げてペットハウス１０を容易に折り畳むことができるので、ペットハウス１０の使い勝手を向上させることができる。
【００５８】
（８）周壁部１２が弾性フレーム２９により支持されたことから、周壁部１２のポケット１４に冷却材１３が保持された状態においても、弾性フレーム２９によって周壁部１２の型崩れを防止でき、ペットハウス１０の内部空間２０を良好に確保できる。
【００５９】
（９）冷却材１３が室温下において冷気を生成可能な程度に予め冷却または冷凍された蓄熱タイプの冷却熱源であることから、ペルチェ素子や冷媒及び熱交換器を用いた場合に比べ、冷気を低コストで供給することができる。
【００６０】
［Ｂ］第２の実施の形態（図８）
図８は、本発明に係るペット収容体の第２の実施の形態におけるペットハウスを示す斜視図である。第２の実施の形態において、前記第１の実施の形態と同様な部分は、同一の符号を付すことにより説明を省略する。
【００６１】
この第２の実施の形態のペットハウス３６は、底面部１１に対向して天面部３５を有し、天面部３５の各辺が周壁部１２の正面壁１５、右側面壁１６、背面壁１７、左側面壁１８に連設して、直方体または立方体形状に構成されている。そして、このペットハウス３６では、右側面壁１６、背面壁１７及び左側面壁１８のみならず、天面部３５においても、冷却材１３を収納するポケット１４が天面部３５の略全面積に亘って形成されている。このように、右側面壁１６、背面壁１７、左側面壁１８及び天面部３５に形成されたポケット１４に冷却材１３が収納されることによって、ペットハウス３６の内部空間３９の冷却効率がより一層向上する。尚、ポケット１４は、天面部３５のみに形成されてもよい。
【００６２】
また、天面部３５において、正面壁１５に形成された出入口３７は、長軸３８が正面壁１５の高さ方向と略一致した楕円形状に形成されている。これにより、ペットの出入りの便宜の向上を図ると共にペットハウス３６の内部空間３９の下方に溜められた冷気が外部へ流出することを、円形状の出入口１９の場合に比べてより一層抑制することができる。その他、この第２の実施の形態においても、前記第１の実施の形態の効果（１）乃至（４）及び（６）乃至（９）と同様な効果を奏する。
【００６３】
［Ｃ］第３の実施の形態（図９）
図９は、本発明に係るペット収容体が適用された第３の実施の形態のペットハウスにおける保冷ユニットなどを示す側断面図である。第３の実施の形態において、前記第１の実施の形態と同様な部分は、同一の符号を付すことにより説明を省略する。
【００６４】
この第３の実施の形態では、ペットハウス４０の周壁部１２にはポケット１４が形成されず、周壁部１２の内面に保冷ユニット４１が、保冷ユニット保持部としての面状ファスナ４２を用いて装着されている。なお、本実施の形態では、保冷ユニット保持部として面状ファスナ４２としたが、ベルト状のもので保冷ユニットを縛って保持してもよいし、ホックによって保持してもよく、これらに限定されるものではない。
【００６５】
保冷ユニット４１は、冷却材１３と、冷却材１３を収納する袋体４５とにより構成される。袋体４５は、断熱部材によって形成され、内側に遮熱シートとしてのアルミ蒸着シート４７が設けられ、アルミ蒸着シート４７の外側に断熱材としてのウレタン４６を有する。ウレタン４６は、冷却材１３に対し内側に配置されたものも外側に配置されたものも、略同一厚さに設定されてもよいし、内側に配置されたものを薄く、外側に配置されたものを厚く形成してもよい。なお、本実施の形態では、アルミ蒸着シート４７の外側に形成されたウレタン４６のさらに外側を覆うように外袋体４３を形成しており、外袋体４３は、例えば可撓性を有する部材（織布、不織布、紙材、合成樹脂、合成繊維等の材料など）で構成される。本実施の形態においては、保冷ユニット４１は、周壁部１２の内側に保冷ユニット保持部としての面状ファスナ４２によって着脱自在に取り付けられる構成を示したが、周壁部１２の外側に保冷ユニットを着脱自在に取り付け可能に構成してもよい。また、本実施の形態において、袋体４５は、断熱部材としての遮熱シート及び断熱材（発泡性樹脂材料）、具体的にアルミ蒸着シート４７及びウレタン４６によって袋体内部が覆われる構成となっているが、必ずしもこのような構成でなくてもよく、例えば、周壁部１２に取り付ける際に周壁部１２と接する面には断熱部材を設けず、周壁部１２と接しない面にのみその略全面積に亘って断熱部材を設けるようにしてもよい。
【００６６】
従って、第３の実施の形態においても、保冷ユニット４１内に収納された冷却材１３による冷気が底面部１１及び周壁部１２により囲まれた内部空間２０内に溜められることから、前記第１の実施の形態の効果（１）、（３）、（５）乃至（９）と同様な効果を奏し、かつ、保冷ユニット４１によれば、前記各実施の形態におけるペットハウス１０のようなものに限らず、既成のペット小屋等の如何なるペット収容体にも用いることができるという効果をも有する。
【００６７】
［Ｄ］第４の実施の形態
第１及び第２の実施の形態のポケット１４内、または第３の実施の形態の保冷ユニット４１内に、暖気を生成する温熱材（例えば懐炉のような発熱体）と冷却材１３とのいずれかを保持させるようにして、底面部１１及び周壁部１２により囲まれた内部空間２０（第１または第３の実施の形態）、または底面部１１、周壁部１２及び天面部３５により囲まれた内部空間３９（第２の実施の形態）内に冷気（冷却材１３が選択された場合）、または暖気（温熱材が選択された場合）を選択して溜めるよう構成されたものである。
【００６８】
この場合、温熱材を収納させるポケットを底面部１１に設けてもよく、また温熱材を収納した保冷ユニット４１を底面部１１に装着してもよい。なお、冷気は下方向に流動し、暖気は上方向に流動しやすい性質から、夏場等の熱い環境下においては、ペットハウス１０の高い位置である周壁部１２や天面部３５に冷却材１３を選択してこれを保持させ、冬場等の寒い環境下においては、ペットハウス１０の低い位置である底面部１１に温熱材を選択して設けるのが好適である。
【００６９】
従って、この第３の実施の形態によれば、冷却材１３による冷気または温熱材による暖気を、周壁部１２により囲まれた内部空間２０、３９内に選択して溜めることができるので、内部空間２０、３９内にペットが入ることでこのペットを間接的に冷却しまたは暖めることができる。これにより、例えば、夏場や冬場のように、温度が異なる環境に併せてペットにとって快適な温度空間を適宜選択的に実現できる。
【００７０】
以上、本発明を前記実施の形態に基づいて説明したが、本発明はこれに限定されるものではない。
【００７１】
例えば、ペットハウス１０は、ペットが入ることができる内部空間を有していればよいので、その形状は円柱形状や家型、かまぼこ型などであってもよい。また、ペットハウス１０を構成する底面部１１及び周壁部１２は、可撓性を有する部材以外、例えばプラスチック材や木材などであってもよい。更に、ペットハウス１０は、底面部１１が存在せず、周壁部のみからなる枠体のようなものであっても。また、前記実施の形態ではペット収容体として、主として室内に設置して使用するペットハウスを説明したが、ペットを収容して屋外等に持ち運ぶ際に使用されるキャリーバックであってもよい。また、断熱材としてウレタン２３，２４，４６を挙げたが、断熱効果を有するものであればよく、更に吸水機能を有するものであればなお好適である。
【図面の簡単な説明】
【００７２】
【図１】本発明に係るペット収容体が適用された第１の実施の形態のペットハウスを示す斜視図である。
【図２】図１のペットハウスにおいて一部を切り欠いて示す側面図である。
【図３】図１のIII‐III線に沿う断面図である。
【図４】図１のペットハウスの底面部を開放して示す斜視図である。
【図５】図４のV矢視図である。
【図６】図１のペットハウスの収納状態を示す図である。
【図７】図６のVII‐VII線に沿う断面図である。
【図８】本発明に係るペット収容体の第２の実施の形態におけるペットハウスを示す斜視図である。
【図９】本発明に係るペット収容体が適用された第３の実施の形態のペットハウスにおける保冷ユニットなどを示す側断面図である。
【符号の説明】
【００７３】
１０  ペットハウス（ペット収容体）
１１  底面部
１２  周壁部
１３  冷却材
１４  ポケット
１９  出入口（開口）
２０  内部空間
２１  外壁体
２２  内壁体
２３、２４  ウレタン（断熱部材・断熱材・発泡性樹脂材料）
２５  アルミ蒸着シート（断熱部材・遮熱シート）
２９  弾性フレーム（保形材）
３５  底面部
３６  ペットハウス（ペット収容体）
３７  出入口（開口）
３８  長軸
４０  ペットハウス（ペット収容体）
４１  保冷ユニット
４２  面状ファスナ（保冷ユニット保持部）
４５  袋体
４７  アルミ蒸着シート（断熱部材・遮熱シート）
４６  ウレタン（断熱部材・断熱材・発泡性樹脂材料）
【図１】
2006246799.tif 000003
【図２】
2006246799.tif 000004
【図３】
2006246799.tif 000005
【図４】
2006246799.tif 000006
【図５】
2006246799.tif 000007
【図６】
2006246799.tif 000008
【図７】
2006246799.tif 000009
【図８】
2006246799.tif 000010
【図９】
2006246799.tif 000011